(57)【要約】【課題】複数の書類を規則正しく収容し、それら書類を簡単に見ること及び取り出すことができる書類ラック構造体を提供することを課題とする。【手段】支持ベース（１０）と、支持ベース（１０）と一体となっている壁部（１２）と、さねはぎによって、片側で支持ベース（１０）に取り付けられ、他側で壁部（１２）に取り付けられる複数の仕切りパネル（１５）とを有し、それ故、仕切りパネル（１５）が支持ベース（１０）の上面（１１）と一緒になって、複数の仕切りパネル（１５）の間に、区画された複数の書類ラックスペースを構成している書類ラック構造体が開示されている。支持ベース（１０）の上面（１１）は、スペースの少なくとも幾つかの底面が水平面に対して傾斜するように形成されている。【選択図】図２
2007513805.tif 000002
【特許請求の範囲】
【請求項１】
支持ベース（１０）と、前記支持ベース（１０）と一体となっている壁部（１２）と、さねはぎによって、片側で前記支持ベース（１０）に取り付けられ、他側で前記壁部（１２）に取り付けられる複数の仕切りパネル（１５）とを有し、それ故、前記仕切りパネル（１５）が前記支持ベース（１０）の上面（１１）と一緒になって、前記仕切りパネル（１５）の間に、区画された複数の書類ラックスペースを構成し、前記支持ベース（１０）の前記上面（１１）が、前記スペースの少なくとも幾つかの底面が水平面に対して傾斜するように形成されている、書類ラック構造体。
【請求項２】
前記支持ベース（１０）の上面（１１）が、下向きの凹部を備えた円弧状面である、請求項１に記載の構造体。
【請求項３】
前記仕切りパネル（１５）が、放射状に配置されている、請求項２に記載の構造体。
【請求項４】
前記支持ベース（１０）の上面（１１）が、傾斜した面である、請求項１に記載の構造体。
【請求項５】
前記仕切りパネル（１５）の少なくとも幾つかが、垂直面に対して傾斜している、請求項４に記載の構造体。
【請求項６】
前記支持ベース（１０）と前記壁部（１２）が、さねはぎによって前記仕切りパネル（１５）を取り付けるための溝を備えている、請求項１〜５の何れか一項に記載の構造体。
【請求項７】
前記書類ラックスペースの底面が突起を備えている、請求項１〜６の何れか一項に記載の構造体。
【請求項８】
前記書類ラックスペースの底面が直線状の溝を備えている、請求項１〜７の何れか一項に記載の構造体。
【請求項９】
前記支持ベース（１０）と前記壁部（１２）が、プラスチック材料からモールド成形された一体成形体である、請求項１〜８の何れか一項に記載の構造体。
【請求項１０】
前記壁部（１２）が、横材（１２ｂ）によって一体に維持された複数の直立柱（１２ａ）を含んでいる、請求項１〜９の何れか一項に記載の構造体。
【発明の詳細な説明】
【技術分野】
【０００１】
本発明は、事務用品に関するものであり、より詳述すると、机上のラック構造体に関するものである。
【背景技術】
【０００２】
よく体験することではあるが、様々なタイプの紙書類を規則正しく整理することの必要性は、どのような範疇の事務においても感じられる。常に、書類というものは整理されているだけでなく机上で迅速に入手できるものでなければならない。この目的のために、積み重ね可能な「通いバスケット」と呼ばれている整理トレーやイタリア語で「スパーティカルテ（ｓｐａｒｔｉｃａｒｔｅ）」として知られている書類ラック構造体（文字通り書類ディバイダであるが、実質的には、書類ラックである）が用いられている。
【０００３】
積重ね可能な書類トレーは、多くの書類を有用なトレーの数に匹敵する多くのグループに規則正しく細分類することにより、多くの書類を整理することを可能にするものである。然しながら、このことは、書類がトレーから取り出されない限り、重ねられていて、見るために分けることができないので、各トレー中に収納された書類を迅速に見ることができないという欠点を伴っている。
【０００４】
公知の書類ラックは、ベースと、そのベースに取り付けられて異なった高さを有する複数のアップライト又は小さなアーチのような複数の仕切り手段とにより実質的に構成された簡単な構造のものである。そのような構造は、異なった書類を縦方向位置で分類させておくことを可能にするものであるが、書類が異なった傾斜をもって収納され、折り曲げられたりする可能性があるので、書類を整頓して収納することを可能にするものではない。更に、書類が所定の位置にある時に、その書類を簡単に見ることができないため、この構造の有用性については、屡々、多少問題となっている。
【０００５】
上述の如き欠点を解消するべく、本発明は、支持ベースと、前記支持ベースと一体となっている壁部と、さねはぎによって、片側で前記支持ベースに取り付けられ、他側で前記壁部に取り付けられる複数の仕切りパネルとを有し、それ故、前記仕切りパネルが前記支持ベースの上面と一緒になって、前記仕切りパネルの間に、区画された複数の書類ラックスペースを構成し、前記支持ベースの前記上面が、前記スペースの少なくとも幾つかの底面が水平面に対して傾斜するように形成されている、書類ラック構造体を入手可能にした。
【０００６】
本発明は、本発明に依る書類ラック構造体を上方から見た斜視図を示す添付図面を参照した、本発明の一実施形態についての後述する詳細な説明を、参照することにより簡単に理解できるであろう。
【発明を実施するための最良の形態】
【０００７】
添付図面から理解できるように、本発明に依る書類ラック構造体は、下向きの凹部を備えて円弧状の上面１１を有する支持ベース１０と、その支持ベース１０と一体となっている壁部１２とにより構成されている。この特定の実施形態においては、壁部１２は、複数の横材１２ｂによって一体に維持された複数の直立柱１２ａによって構成されている。壁部１２は、ベースに取り付けられ又はベースと一体のものとして形成されている。後者の場合には、二つの部品は、通常の射出成形法の単一操作によってプラスチック材料から成形することができる。
【０００８】
支持ベース１０は、それの上面１１に形成された複数の平行な溝１３（図示実施形態においては、９本の溝１３が形成されている。）を有し、それら複数の溝１３は、直立柱１２ａに形成されてベース方向へ延びた同数の溝１４と繋がっている。
【０００９】
これら溝１３，１４は、支持ベースに対する良好なさねはぎを構成することができるような厚さを持って、例えば、プラスチック材料にて成形された９個のパネル１５の縁部を受ける座部を構成している。この実施形態においては、それらパネル１５は、互いに異なった形態と同じ寸法を持った網状の構造体にて構成されているが、それらパネルは、全てを同じ外観及び（又は）異なった寸法を有するものとすることもできる。
【００１０】
パネルによって区画されたスペース（図３）は、シート状の書類又はフォルダーを規則正しく差し込むための書類キャリア棚を構成している。
【００１１】
ベースの上面が湾曲していることにより、スペースの底面は、水平面に対して傾斜している。この傾斜は、各スペース内に差し込まれたシートが区別可能に傾斜した姿勢をとりがちであるという効果を及ぼすため、それらシートは、規則正しく配列され、簡単に分類することができる。それ故、簡単且つ迅速に一つの書類を捜し出すことができる。
【００１２】
仕切りパネル１５は放射状に配列するのが好ましい。特に、図示実施形態においては、中央のパネルを垂直に位置させ、他のパネルを、垂直面に対して若干傾斜させ、例えば、図１に示したように中央のパネルの右側又は左側である時計方向又は反時計方向に４°だけ傾斜させるのが好ましい。このようなパネルの分布は、書類が所定の傾斜をもって配列され易くすることに寄与する。
【００１３】
有益的には、ベースの上面１１に、溝１３と平行な複数のリブ又は別の立上り突起又は凹部（図示せず）を設けることができ、そのようなリブ，立上り突起又は凹部は、スペース内に配列されたシートが折れ曲がる傾向を回避又は少なくとも減少させることができ、そのことは、シートの規則正しい整頓に当然のことながら貢献し、従って、シートを判別し易くする。
【００１４】
図示実施形態においては、支持ベース１０が、それの直線状の両側の近傍に、ペン及び鉛筆を入れることのできるスペースを構成する二つの小さな管部１６を備えるように形成されている。
【００１５】
簡単に考え付くので図示しなかった、上記構造の変形例に依れば、支持ベースの上面は、円弧状面というよりは傾斜面として形成することができる。その場合にも同様に、仕切りパネルは、（全て同じ意味で）垂直面に対して若干傾斜させることができる。
【図面の簡単な説明】
【００１６】
【図１】部品が取り外された状態の本発明に係る書類ラック構造体の正面斜視図である。
【図２】部品が取り外された状態の本発明に係る書類ラック構造体の背面斜視図である。
【図３】完成された状態の本発明に係る書類ラック構造体の正面斜視図である。
【符号の説明】
【００１７】
１０    支持ベース
１１    支持ベースの上面
１２    壁部
１２ａ  直立柱
１２ｂ  横材
１３    支持ベースの上面に形成された溝
１４    直立柱に形成された溝
１５    仕切りパネル
【図１】
2007513805.tif 000003
【図２】
2007513805.tif 000004
【図３】
2007513805.tif 000005
【国際調査報告】
2007513805.tif 000006
2007513805.tif 000007